(57)【要約】【課題】引込線の接続作業を安全に行うことが可能な引込線取付バンドを提供する。【解決手段】引込線取付バンド１は、電柱２の外周面に着脱可能な略Ｃ字形のバンド部９と、電柱２の径方向に突出するようにバンド部９の外周に設けられた突起部１０と、バンド部９の両端部９ａ同士を締め付けるための締結具１１と、を備える。突起部１０には、係止金具６を挿通するための支持用孔１３が周方向に所定の間隔で複数設けられている。引込線４を敷設する際は、配線に都合の良い支持用孔１３、例えば、需要家まで最短距離で引込線４を配線できる支持用孔１３や不安全箇所を避けて引込線４を配線できる支持用孔１３等が選択され、その支持用孔１３に係止金具６が挿通される。【選択図】  図１
2011101567.tif 000002
【特許請求の範囲】
【請求項１】
電柱に取り付けられ、引込線の端部を支持するための引込線取付バンドであって、
前記電柱の外周を囲うように設けられ、前記電柱の外周に着脱可能な略Ｃ字形のバンド部と、
前記電柱の径方向に突出するように前記バンド部の外周に設けられ、複数の孔を有する突起部と、
前記バンド部の両端部同士を締め付けるための締結具と、
を備えることを特徴とする引込線取付バンド。
【発明の詳細な説明】
【技術分野】
【０００１】
本発明は、電柱に取り付けられ、引込線の端部を支持するための引込線取付バンドに関する。
【背景技術】
【０００２】
一般的に、引込線の電柱側端部は、電柱の腕金に取り付けられた引込用金具に、碍子及びこの碍子と引込用金具とを連結する係止金具を介して支持されている。引込用金具としては、例えば、図４に示すような、笠形金具が用いられている。
また、引込線の電柱側端部には、電線から分岐された引下線の一端が接続されており、これよって、電気が需要家へ供給されることとなる。
【発明の概要】
【発明が解決しようとする課題】
【０００３】
しかしながら、上述した引込線の電柱側端部を引込用金具にて支持する方法では、引込用金具が取り付けられている腕金は電線の直下に設置されているため、引込用金具に引込線を接続したり、引込線に引下線を接続したりする作業を電線のすぐ近くで行うこととなり、危険を伴うという問題点があった。
【０００４】
そこで、本発明は上記のような問題点に鑑みてなされたものであり、引込線の接続作業を安全に行うことが可能な引込線取付バンドを提供することを目的とする。
【課題を解決するための手段】
【０００５】
上記の目的を達成するため、本発明は、電柱に取り付けられ、引込線の端部を支持するための引込線取付バンドであって、
前記電柱の外周を囲うように設けられ、前記電柱の外周に着脱可能な略Ｃ字形のバンド部と、
前記電柱の径方向に突出するように前記バンド部の外周に設けられ、複数の孔を有する突起部と、
前記バンド部の両端部同士を締め付けるための締結具と、
を備えることを特徴とする。
【０００６】
本発明によれば、バンド部は、電柱の任意の高さ位置に取り付けることができる。したがって、引込線取付バンドを電線から離れた位置に取り付けることにより、引込線取付バンドに引込線を接続したり、引込線に引下線を接続したりする作業等を安全に行うことができる。
【０００７】
また、突起部には孔が設けられているので、この孔と碍子とを係止金具にて連結することにより、引込線の端部を支持することができる。
そして、孔は複数設けられているので、引込線を敷設するのに都合の良い孔を選択することができる。
【０００８】
さらに、引込線取付バンドは、バンド部と突起部とを備えた簡易なものなので、安価に製作することができる。
【発明の効果】
【０００９】
本発明によれば、引込線の接続作業を安全に行うことが可能な引込線取付バンドを提供できる。
【図面の簡単な説明】
【００１０】
【図１】本実施形態に係る引込線取付バンドを電柱に取り付けて、当該引込線取付バンドで引込線の電柱側端部を支持した状態を示す斜視図である。
【図２】本実施形態に係る引込線取付バンドの平面図である。
【図３】本実施形態に係る引込線取付バンドの側面図である。
【図４】引込用金具の一例である笠形金具を示す図である。
【発明を実施するための形態】
【００１１】
以下、本発明の好ましい実施形態について図面を用いて詳細に説明する。
【００１２】
図１は、本実施形態に係る引込線取付バンド１を電柱２に取り付けて、当該引込線取付バンド１で引込線４の電柱側端部４ａを支持した状態を示す斜視図である。
図１に示すように、引込線取付バンド１は、電線３から人が安全に作業できる程度の距離だけ下方へ離れた位置に取り付けられている。
【００１３】
引込線４の電柱側端部４ａは、碍子５及び係止金具６を介して引込線取付バンド１に支持されている。また、電線３から分岐された引下線７が電柱２の外周面にクリート８等にて固定されるとともに、その下端が引込線４の電柱側端部４ａに接続されている。
【００１４】
次に、引込線取付バンド１の構造について説明する。
【００１５】
図２及び図３は、それぞれ本実施形態に係る引込線取付バンド１の平面図及び側面図である。
【００１６】
図２及び図３に示すように、引込線取付バンド１は、電柱２の外周面に着脱可能な略Ｃ字形のバンド部９と、電柱２の径方向に突出するようにバンド部９の外周に設けられた突起部１０と、バンド部９の両端部９ａ同士を締め付けるための締結具１１と、を備える。
【００１７】
バンド部９の両端部９ａは、電柱２の径方向に突出するように形成されており、それぞれ締結具１１を挿通するための締結具用孔１２が設けられている。本実施形態においては、締結具１１として、ボルト及びナットを用いた。
【００１８】
また、バンド部９はその内周面が電柱２の外周面に密着するように、バンド部９の内径が電柱２の外径とほぼ同じ大きさになるように形成されている。
【００１９】
突起部１０は、バンド部９の周方向に間隔をおいてバンド部９の外周上端縁部に複数設けられている。突起部１０を周方向に間隔をおいて複数設けた理由は、突起部１０の無い部位を設けることにより、バンド部９の開閉を容易にするためである。
【００２０】
また、突起部１０には、係止金具６を挿通するための支持用孔１３が周方向に所定の間隔で複数設けられている。引込線４を敷設する際に、配線に都合の良い支持用孔１３、例えば、需要家まで最短距離で引込線４を配線できる支持用孔１３や不安全箇所を避けて引込線４を配線できる支持用孔１３等が選択され、その支持用孔１３に係止金具６が挿通される。
【００２１】
また、突起部１０の径方向に突出する長さは、例えば、約４ｃｍとした。これにより、支持用孔１３に係止金具６を接続したり、係止金具６に碍子５を接続したり、引込線４に引下線７を接続したりする作業時に、足を掛けるための足場として突起部１０を利用することができる。なお、突起部１０の径方向に突出する長さは４ｃｍに限定されるものではない。
【００２２】
上述した構成からなる引込線取付バンド１を電柱２に取り付ける際は、バンド部９の両端部９ａを拡開してその両端部９ａ間の隙間Ｓを広くし、隙間Ｓに電柱２を挿通させる。その後、バンド部９の内周面を電柱２の外周面に密着させて、締結具１１にてバンド部９の両端部９ａ同士を締め付けて引込線取付バンド１を電柱２に取り付ける。
【００２３】
また、引込線取付バンド１の製作は、本実施形態においては、厚さ２ｍｍの鋼板から突起部１０及びバンド部９を一体物として切り出し、支持用孔１３を削孔して、その後、突起部１０をバンド部９に対して折り曲げるとともに、バンド部９を略Ｃ字形に湾曲させることにより行った。なお、バンド部９及び突起部１０の厚さは、２ｍｍに限定されるものではない。
【００２４】
上述したように、本実施形態に係る引込線取付バンド１によれば、突起部１０に支持用孔１３が設けられているので、この支持用孔１３と引込線４が接続された碍子５とを係止金具６にて連結することにより、引込線４の電柱側端部４ａを支持することができる。
また、支持用孔１３は複数設けられているので、引込線４を敷設するのに都合の良い支持用孔１３を選択することができる。
【００２５】
また、引込線取付バンド１は、電柱２の任意の高さ位置に取り付けることが可能なので、電線３から離れた位置に取り付けることにより、支持用孔１３に係止金具６を接続したり、係止金具６に碍子５を接続したり、引込線４に引下線７を接続したりする作業を安全に行うことができる。
【００２６】
さらに、引込線取付バンド１は、バンド部９と突起部１０とを備えた簡易なものなので、安価に製作することができる。
【００２７】
なお、本実施形態においては、バンド部９及び突起部１０を一体物として鋼板から切り出して引込線取付バンド１を製作する場合について説明したが、この製作方法に限定されるものではなく、例えば、突起部１０及びバンド部９をそれぞれ別々に製作し、溶接等により接続しても良い。かかる場合に、バンド部９及び突起部１０をそれぞれ異なる厚さで製作しても良い。
【００２８】
また、本実施形態においては、引込線４を支持する場合について説明したが、引込線４に限定されるものではなく、メッセンジャーワイヤーを支持する場合にも本発明の引込線取付バンド１を適用可能である。
【符号の説明】
【００２９】
１  引込線取付バンド
２  電柱
３  電線
４  引込線
４ａ  引込線の電柱側端部
５  碍子
６  係止金具
７  引下線
８  クリート
９  バンド部
９ａ  バンド部の端部
１０  突起部
１１  締結具
１２  締結具用孔
１３  支持用孔
Ｓ  隙間
【図１】
2011101567.tif 000003
【図２】
2011101567.tif 000004
【図３】
2011101567.tif 000005
【図４】
2011101567.tif 000006